(57)【要約】【課題】  利便性を向上させ得る再生システムを実現する。【解決手段】  オーディオ機器７は、携帯再生装置３から圧縮音楽データと共に送信されるユーザ認識データに基づいて、当該圧縮音楽データを購入・ダウンロードしたユーザと当該オーディオ機器７を所有するユーザとが同一であることを認識した場合、デコーダ部３４及び音楽データ処理部３５によって当該圧縮音楽データから音楽信号を再生した後、当該圧縮音楽データを記憶保持する一方、当該圧縮音楽データを購入・ダウンロードしたユーザと当該オーディオ機器７を所有するユーザとが同一でないことを認識した場合、デコーダ部３４及び音楽データ処理部３５によって当該圧縮音楽データから音楽信号を再生した後、当該圧縮音楽データを消去するようにした。【選択図】        図１
2005190523.tif 000002
【特許請求の範囲】
【請求項１】
コンテンツデータから信号を再生する第１及び第２の再生装置
を有し、
上記第１の再生装置は、
上記再生するコンテンツデータと、上記第２の再生装置が当該コンテンツデータを記憶保持し得るか否かを表す可否データとを対応付けて記憶する記憶手段と、
上記記憶手段に記憶している上記コンテンツデータ及び当該コンテンツデータに対応する上記可否データを上記第２の再生装置へ送信する送信手段と
を具え、
上記第２の再生装置は、
上記第１の再生装置から上記コンテンツデータ及び上記可否データを受信すると、当該可否データに基づいて当該コンテンツデータを記憶保持し得るか否かを認識する認識手段と、
上記認識手段によって当該コンテンツデータを記憶保持し得ることを認識すると、当該コンテンツデータから上記信号を再生した後当該コンテンツデータを所定の記憶手段に記憶保持し、上記認識手段によって当該コンテンツデータを記憶保持し得ないことを認識すると、当該コンテンツデータから上記信号を再生した後当該コンテンツデータを消去する制御手段と
を具えることを特徴とする再生システム。
【請求項２】
上記第２の再生装置は、上記コンテンツデータから上記第１の再生装置よりも高品質の上記信号を再生する
ことを特徴とする請求項１に記載の再生システム。
【請求項３】
上記可否データには、上記コンテンツデータの所有者であるユーザを示すユーザ情報が含まれており、
上記第２の再生装置の上記認識手段は、
上記可否データにおける上記ユーザ情報が示すユーザと、上記第２の再生装置の所有者であるユーザとが同一であるか否かを判定し、同一と判定した場合に上記コンテンツデータを記憶保持し得ると認識する
ことを特徴とする請求項１に記載の再生システム。
【請求項４】
外部からコンテンツデータと当該再生装置が当該コンテンツデータを記憶保持し得るか否かを表す可否データとを受信すると、当該可否データに基づいて当該コンテンツデータを記憶保持し得るか否かを認識する認識手段と、
上記認識手段によって当該コンテンツデータを記憶保持し得ることを認識すると、当該コンテンツデータから上記信号を再生した後当該コンテンツデータを所定の記憶手段に記憶保持し、上記認識手段によって当該コンテンツデータを記憶保持し得ないことを認識すると、当該コンテンツデータから上記信号を再生した後当該コンテンツデータを消去する制御手段と
を具えることを特徴とする再生装置。
【請求項５】
コンテンツデータから信号を再生する再生手段と、
上記再生手段によって再生する上記コンテンツデータと、当該コンテンツデータから上記信号を再生し得る他の再生装置が当該コンテンツデータを記憶保持し得るか否かを表す可否データとを対応付けて記憶する記憶手段と、
上記記憶手段に記憶している上記コンテンツデータ及び当該コンテンツデータに対応する上記可否データを上記他の再生装置へ送信する送信手段と
を具えることを特徴とする再生装置。
【請求項６】
コンテンツデータから信号を再生する第１の再生装置から、上記コンテンツデータと第２の再生装置が当該コンテンツデータを記憶保持し得るか否かを表す可否データとを受信した上記第２の再生装置が、当該可否データに基づいて当該コンテンツデータを記憶保持し得るか否かを認識する第１のステップと、
上記第２の再生装置が、受信した上記コンテンツデータを記憶保持し得ることを認識すると、当該コンテンツデータから上記信号を再生した後当該コンテンツデータを所定の記憶手段に記憶保持する一方、受信した上記コンテンツデータを記憶保持し得ないことを認識すると、当該コンテンツデータから上記信号を再生した後当該コンテンツデータを消去する第２のステップと
を具えることを特徴とする再生方法。
【発明の詳細な説明】
【技術分野】
【０００１】
本発明は再生システムに関し、例えば、ＭＰ３（MPEG Audio Layer-3）プレーヤ等の携帯再生装置に記憶されている音楽データを再生する際に適用して好適なものである。
【背景技術】
【０００２】
近年、インターネットを介してコンテンツ配信業者等から購入した音楽データをＭＰ３プレーヤ等の携帯再生装置に記憶させ、当該携帯再生装置を携帯しながら外出先で音楽を聞くようなことが行われている（例えば特許文献１）。
【特許文献１】特開２０００−７７９６０公報（第３頁）
【発明の開示】
【発明が解決しようとする課題】
【０００３】
ところで、このような携帯再生装置に記憶されている音楽データが、他人の再生装置へむやみに転送され、その結果、当該音楽データが様々な再生装置に記憶保持されるようになってしまうと、著作権に関わる問題等が生じてしまう可能性がある。この問題を回避するための一手法として、携帯再生装置に対し、一度記憶した音楽データを外部へ転送させないようにする機能を設けることが考えられる。
【０００４】
しかしながら、このような手法を適用した場合において、例えばこの携帯再生装置に対しユーザが正当に購入した音楽データを一旦記憶させてしまうと、当該音楽データをこのユーザが所有する他の再生装置にさえ転送することができなくなってしまう。この結果ユーザは、必ずこの携帯再生装置を利用しないと、当該音楽データに基づく音楽を聴くことができなくなってしまうので、著しく利便性が損なわれてしまう問題が生じる。
【０００５】
本発明は以上の点を考慮してなされたもので、利便性を向上させ得る再生システムを提案しようとするものである。
【課題を解決するための手段】
【０００６】
かかる課題を解決するため本発明においては、再生システムにおいて、コンテンツデータから信号を再生する第１及び第２の再生装置を有し、第１の再生装置には、再生するコンテンツデータと、第２の再生装置が当該コンテンツデータを記憶保持し得るか否かを表す可否データとを対応付けて記憶する記憶手段と、記憶手段に記憶しているコンテンツデータ及び当該コンテンツデータに対応する可否データを第２の再生装置へ送信する送信手段とを設け、第２の再生装置には、第１の再生装置からコンテンツデータ及び可否データを受信すると、当該可否データに基づいて当該コンテンツデータを記憶保持し得るか否かを認識する認識手段と、認識手段によって当該コンテンツデータを記憶保持し得ることを認識すると、当該コンテンツデータから信号を再生した後当該コンテンツデータを所定の記憶手段に記憶保持し、認識手段によって当該コンテンツデータを記憶保持し得ないことを認識すると、当該コンテンツデータから信号を再生した後当該コンテンツデータを消去する制御手段とを設けるようにした。
【０００７】
また本発明においては、再生装置において、外部からコンテンツデータと当該再生装置が当該コンテンツデータを記憶保持し得るか否かを表す可否データとを受信すると、当該可否データに基づいて当該コンテンツデータを記憶保持し得るか否かを認識する認識手段と、認識手段によって当該コンテンツデータを記憶保持し得ることを認識すると、当該コンテンツデータから信号を再生した後当該コンテンツデータを所定の記憶手段に記憶保持し、認識手段によって当該コンテンツデータを記憶保持し得ないことを認識すると、当該コンテンツデータから信号を再生した後当該コンテンツデータを消去する制御手段とを設けるようにした。
【０００８】
さらに本発明においては、再生装置において、コンテンツデータから信号を再生する再生手段と、再生手段によって再生するコンテンツデータと、当該コンテンツデータから信号を再生し得る他の再生装置が当該コンテンツデータを記憶保持し得るか否かを表す可否データとを対応付けて記憶する記憶手段と、記憶手段に記憶しているコンテンツデータ及び当該コンテンツデータに対応する可否データを他の再生装置へ送信する送信手段とを設けるようにした。
【０００９】
さらに本発明においては、再生方法において、コンテンツデータから信号を再生する第１の再生装置から、コンテンツデータと第２の再生装置が当該コンテンツデータを記憶保持し得るか否かを表す可否データとを受信した第２の再生装置が、当該可否データに基づいて当該コンテンツデータを記憶保持し得るか否かを認識する第１のステップと、第２の再生装置が、受信したコンテンツデータを記憶保持し得ることを認識すると、当該コンテンツデータから信号を再生した後当該コンテンツデータを所定の記憶手段に記憶保持する一方、受信したコンテンツデータを記憶保持し得ないことを認識すると、当該コンテンツデータから信号を再生した後当該コンテンツデータを消去する第２のステップとを設けるようにした。
【００１０】
このようにして第２の再生装置は、第１の再生装置からコンテンツデータと共に送信される可否データに基づいて、当該コンテンツデータを記憶保持し得ることを認識すると、当該コンテンツデータを再生した後これを記憶保持するようにする一方、当該コンテンツデータを記憶保持し得ないことを認識すると、当該コンテンツデータを再生した後これを消去するようにした。これにより、第１の再生装置に記憶されているコンテンツデータを、著作権関連の問題等が生じないような第２の再生装置のみに選択的に記憶保持させるようにすることが可能となる。
【発明の効果】
【００１１】
本発明によれば、第１の再生装置に記憶されているコンテンツデータを、著作権関連の問題等が生じないような第２の再生装置のみに選択的に記憶保持させるようにすることが可能となる。この結果、著作権関連の問題等を回避して、利便性を格段と向上させることができる再生システムを実現することができる。
【発明を実施するための最良の形態】
【００１２】
以下図面について、本発明の一実施の形態を詳述する。
【００１３】
（１）音楽再生システムの構成
図１において、１は全体として音楽再生システムを示し、ユーザの家に設置されているパーソナルコンピュータ２は、ユーザの所定操作に応じてインターネットから圧縮符号化された音楽データ（以下、圧縮音楽データと呼ぶ）をダウンロードし、これを内部のハードディスクドライブに記憶保持する。
【００１４】
パーソナルコンピュータ２は、例えば図示しないケーブルによって携帯再生装置３と接続された後、ユーザにより転送操作が行われると、記憶保持している圧縮音楽データをこのケーブルを介して携帯再生装置３へ転送する。このとき携帯再生装置３は、転送された圧縮音楽データを内部のハードディスクドライブに記憶保持する。
【００１５】
この後携帯再生装置３は、ユーザにより再生操作が行われると、記憶保持している圧縮音楽データのうち、当該再生操作に応じた圧縮音楽データに対して伸長復号化処理を実行することにより音楽データ（いわゆるＰＣＭ（Pulse Code Modulation）データ）を生成した後、当該生成した音楽データに対してＤ／Ａ変換処理等を実行し、この結果得られた音楽信号（いわゆるアナログ信号）に基づく音楽を接続されているイヤホン４を介して放音する。
【００１６】
また携帯再生装置３は、ユーザ所有の車の中に持ち込まれて、その筐体が車内に設置されているステーション５の挿入孔ＨＬに挿入されると、このステーション５から延長しているケーブル６を介して、車内のオーディオ機器７と通信を開始する。
【００１７】
この状態において、携帯再生装置３の操作部に対しユーザが再生操作を行うと、携帯再生装置３は、記憶保持している圧縮音楽データのうち、当該再生操作に応じた圧縮音楽データを、オーディオ機器７へ送信する。このときオーディオ機器７は、携帯再生装置３から受信した圧縮音楽データに対して、伸長復号化処理及びＤ／Ａ変換処理等を順次実行し、この結果得られた音楽信号に基づいてスピーカから音楽を放音する。
【００１８】
（２）パーソナルコンピュータの構成
図２に示すパーソナルコンピュータ２において、ユーザにより操作部１０を介してインターネットＮＴ１におけるコンテンツサーバＳＶ１にアクセスするための操作が行われると、これに応じてメインコントローラ１１はネットワーク処理部１２を制御することにより、インターネットＮＴ１を介してコンテンツサーバＳＶ１へアクセスする。
【００１９】
そして、ユーザにより操作部１０を介して、コンテンツサーバＳＶ１が保持している音楽データを購入しダウンロードするための購入・ダウンロード操作が行われると、これに応じてメインコントローラ１１は、当該購入・ダウンロード操作に応じた音楽データをダウンロードするように要求するためのダウンロード要求信号と、当該購入・ダウンロード操作を行ったユーザを識別するためのユーザ識別データとをコンテンツサーバＳＶ１へ送信する（ステップＳＰ１（図３））。
【００２０】
因みに本実施の形態の場合、このユーザ識別データは、パーソナルコンピュータ２に対してログインする際に当該ユーザが入力したユーザＩＤ（Identification）等に基づいて、メインコントローラ１１が予め生成したものである。
【００２１】
コンテンツサーバＳＶ１は、パーソナルコンピュータ２からダウンロード要求信号とユーザ識別データとを受信すると、このユーザ識別データによって示されるユーザに対して課金を行うための課金処理を実行する。そしてこの課金処理が正常に終了すると、コンテンツサーバＳＶ１は、当該ダウンロード要求信号に応じた音楽データに対して圧縮符号化処理を施すことにより圧縮音楽データを生成した後、当該圧縮音楽データにパーソナルコンピュータ２から受信したユーザ識別データを付加し、これをパーソナルコンピュータ２へ送信する（ステップＳＰ２（図３））。
【００２２】
パーソナルコンピュータ２のネットワーク処理部１２は、コンテンツサーバＳＶ１からユーザ識別データが付加された圧縮音楽データを受信すると、メインコントローラ１１の制御の下、これをハードディスクドライブ１３に記憶する。
【００２３】
このようにしてパーソナルコンピュータ２は、ユーザの購入・ダウンロード操作に応じてコンテンツサーバＳＶ１から取得した圧縮音楽データを、ハードディスクドライブ１３に蓄積するようになされている。
【００２４】
また、ユーザにより操作部１０を介してハードディスクドライブ１３に記憶保持されている圧縮音楽データを再生する再生操作が行われると、これに応じてメインコントローラ１１は、当該圧縮音楽データに対応するタイトル情報等を表示部１４に表示しつつ、ハードディスクドライブ１３から当該圧縮音楽データを読み出してこれをデコーダ部１５へ送出する。
【００２５】
デコーダ部１５はメインコントローラ１１の制御の下、ハードディスクドライブ１３からの圧縮音楽データに対して伸長復号化処理を施し、この結果得られた音楽データをＤＳＰ（Digital Signal Processor）やＤ／Ａコンバータやフィルタ等からなる音楽データ処理部１６へ送出する。音楽データ処理部１６は、デコーダ部１５からの音楽データに対してＤ／Ａ変換処理等を施すことにより音楽信号を得て、これに基づく音楽をスピーカ１７から放音する。
【００２６】
ところで、パーソナルコンピュータ２の接続部（ＵＳＢ（Universal Serial Bus）端子等に相当する）１８に対し、図示しないケーブルを介して携帯再生装置３が接続されると、所有者認識部１９はメインコントローラ１１の制御の下、当該携帯再生装置３から送信される携帯再生装置所有者情報に基づいて、携帯再生装置３を所有するユーザを認識する。
【００２７】
そしてこの後、ハードディスクドライブ１３に記憶されている圧縮音楽データを携帯再生装置３へ転送するための転送操作が操作部１０に対して行われると、メインコントローラ１１は、当該圧縮音楽データに付加されているユーザ識別データによって示されているユーザ（すなわち、当該圧縮音楽データを購入・ダウンロードしたユーザ）と、所有者認識部１９によって認識した携帯再生装置３を所有するユーザとが同一であるか否かを判断し、同一であると判断できたとき、ハードディスクドライブ１３から当該圧縮音楽データを読み出して、これを携帯再生装置３へ送信する。
【００２８】
（３）携帯再生装置の構成
図４に示す携帯再生装置３において、受信部２０はメインコントローラ２１の制御の下、パーソナルコンピュータ２からユーザ識別データが付加されている圧縮音楽データを受信し、これをハードディスクドライブ２２へ記憶する。
【００２９】
かくして携帯再生装置３は、パーソナルコンピュータ２からの圧縮音楽データを、ハードディスクドライブ２２に蓄積しておくことができる。
【００３０】
この後、この携帯再生装置３がパーソナルコンピュータ２の接続部１８から取り外されて、ユーザにより携帯されて使用されているとき、操作部２３を介してハードディスクドライブ２２に記憶されている圧縮音楽データを再生するための再生操作が行われると、これに応じてメインコントローラ２１は、当該圧縮音楽データに対応するタイトル情報等を表示部２４に表示しつつ、ハードディスクドライブ２２から当該圧縮音楽データを読み出してこれをデコーダ部２５へ送出する。
【００３１】
デコーダ部２５はメインコントローラ２１の制御の下、ハードディスクドライブ２２からの圧縮音楽データに対して伸長復号化処理を施し、この結果得られた音楽データを、ＤＳＰやＤ／Ａコンバータやフィルタ等からなる音楽データ処理部２６へ送出する。
【００３２】
音楽データ処理部２６はメインコントローラ２１の制御の下、デコーダ部２５からの音楽データに対してＤ／Ａ変換処理等を施すことにより音楽信号を得て、この音楽信号に基づく音楽をイヤホン４を介して放音する。
【００３３】
因みにこのような携帯再生装置３は、屋内に据え置きされるような大型のスピーカ等ではなく、イヤホン４を介して音楽が聴かれることを前提に設計されているので、搭載されているデコーダ部２５及び音楽データ処理部２６は、この前提に応じた処理精度（演算精度等に相当する）のみを有している。
【００３４】
一方この携帯再生装置３は、ユーザの車内に設置されているオーディオ機器７のステーション５と接続するためのステーション接続部２７とを有している。
【００３５】
例えば、ユーザにより携帯再生装置３が車内におけるステーション５の挿入孔ＨＬに挿入されると、メインコントローラ２１はステーション接続部２７を介して、当該挿入孔ＨＬに差し込まれた旨を検知する。続いてメインコントローラ２１は、ステーション５とオーディオ機器７とを結ぶケーブル６を介して、通信の開始を要求するための通信開始要求信号をオーディオ機器７へ送信する。そしてステーション接続部２７がオーディオ機器７から当該通信開始要求信号に対応する応答信号を受信すると、ステーション接続部２７とオーディオ機器７との間でデータ通信が可能な状態になる。この結果、携帯再生装置３はオーディオ機器７とデータ通信することができる。
【００３６】
このようにオーディオ機器７とデータ通信が可能な状態で、例えばハードディスクドライブ２２に記憶されている圧縮音楽データを再生する再生操作が操作部２３に対して行われたとき、これに応じてメインコントローラ２１は、ユーザ識別データが付加されている当該圧縮音楽データをオーディオ機器７へ送信する。
【００３７】
（４）オーディオ機器の構成
図５に示すオーディオ機器７において、ステーション５とケーブル６を介して接続している接続部３０は、ステーション５に挿入されている携帯再生装置３から通信開始要求信号を受信すると、メインコントローラ３１の制御の下、これに応じた応答信号を携帯再生装置３へ送信する。これにより接続部３０は、携帯再生装置３とデータ通信可能な状態になり、この結果オーディオ機器７は、携帯再生装置３とのデータ通信を開始する。
【００３８】
このようにして携帯再生装置３との間でデータ通信が開始されたとき、まず最初に認証部３２はメインコントローラ３１の制御の下、当該携帯再生装置３を認証するための認証処理を実行する。
【００３９】
そしてこの認証処理が正常に終了した後、例えば携帯再生装置３に対して再生操作が行われることにより当該携帯再生装置３からユーザ識別データが付加されている圧縮音楽データが送信されると、メインコントローラ３１は接続部３０を介してこれを受信しハードディスクドライブ３３へ一旦記憶する。
【００４０】
続いてメインコントローラ３１は、ハードディスクドライブ３３に一旦記憶した圧縮音楽データを読み出して、これをデコーダ部３４へ送出する。デコーダ部３４はメインコントローラ３１の制御の下、ハードディスクドライブ３３からの圧縮音楽データに対して伸長復号化処理を施し、この結果得られた音楽データを音楽データ処理部３５へ送出する。
【００４１】
音楽データ処理部３５は、デコーダ部３４からの音楽データに対してＤ／Ａ変換処理等を施すことにより音楽信号を得て、これに基づく音楽をスピーカ３６から放音する。
【００４２】
因みにこのようなオーディオ機器７は、車内でスピーカ３６を介して音楽が聴かれることを前提に設計されているので、搭載されているデコーダ部３４及び音楽データ処理部３５は、携帯再生装置３のデコーダ部２５及び音楽データ処理部２６よりも高い処理精度を有している。これによりオーディオ機器７は、携帯再生装置３と比べて、圧縮音楽データから品質の良い音楽信号を再生することができ、この結果、格段と音質の良い音楽を放音することができる。
【００４３】
この圧縮音楽データの再生が終了するとメインコントローラ３１は、当該圧縮音楽データに付加されているユーザ識別データに基づいて、当該圧縮音楽データを購入・ダウンロードしたユーザを認識すると共に、ハードディスクドライブ３３に予め記憶されているオーディオ機器所有者情報に基づいて、このオーディオ機器７を所有するユーザを認識する。そしてメインコントローラ３１は、当該圧縮音楽データを購入・ダウンロードしたユーザと、このオーディオ機器７を所有するユーザとが同一であるか否かを判断する。
【００４４】
ここで、圧縮音楽データを購入・ダウンロードしたユーザと、このオーディオ機器７を所有するユーザとが同一であると判断したとき、メインコントローラ３１は、ハードディスクドライブ３３に記憶されている当該圧縮音楽データをそのまま記憶保持し続ける。
【００４５】
これによりオーディオ機器７は、この後、当該圧縮音楽データが記憶されている携帯再生装置３がステーション５に挿入されていなくても、ハードディスクドライブ３３に記憶されている当該圧縮音楽データに基づいて音質の良い音楽を放音することができる。
【００４６】
一方、圧縮音楽データを購入・ダウンロードしたユーザと、このオーディオ機器７を所有するユーザとが同一でないと判断したとき、メインコントローラ３１は、ハードディスクドライブ３３に一旦記憶されていた当該圧縮音楽データを消去する。
【００４７】
このようにすることにより、当該圧縮音楽データを購入・ダウンロードしたユーザ以外の他人が所有するオーディオ機器７に、当該圧縮音楽データが記憶保持され続けてしまうことを回避することができる。
【００４８】
（５）再生処理
ここでは、携帯再生装置３とオーディオ機器７との間で実行される再生処理の手順について、図７のシーケンスチャートを用いて説明する。
【００４９】
例えば、ユーザにより携帯再生装置３が車内に持ち込まれてステーション５の挿入孔ＨＬへ挿入されると、これに応じて携帯再生装置３のメインコントローラ２１はステップＳＰ１０において、オーディオ機器７とのデータ通信を開始する。
【００５０】
そして携帯再生装置３のメインコントローラ２１はステップＳＰ１１へ進み、この携帯再生装置３に対して固有に割り当てられているＩＤ情報（例えば製造番号等に相当する）を、オーディオ機器７へ送信する。
【００５１】
オーディオ機器７のメインコントローラ３１は、携帯再生装置３からＩＤ情報を受信するとステップＳＰ１２へ進み、受信したＩＤ情報に基づいて認証処理を実行する。
【００５２】
ここでオーディオ機器７の認証部３２には、このオーディオ機器７を利用することができる携帯再生装置３のＩＤ情報が予め登録されている。オーディオ機器７のメインコントローラ３１はかかる認証処理として、携帯再生装置３から受信したＩＤ情報が認証部３２に登録されているか否かを確認し、当該ＩＤ情報が登録されていることを確認すると、この認証処理を正常に終了してステップＳＰ１３へ進み、携帯再生装置３から送信される圧縮音楽データを受け付けるデータ受付モードへ移行する。
【００５３】
この後、例えば携帯再生装置３の操作部２３に対して当該携帯再生装置３のハードディスクドライブ２２に記憶保持されている圧縮音楽データを再生するための再生操作が行われると、これに応じて携帯再生装置３のメインコントローラ２１はステップＳＰ１４へ進み、当該再生操作に応じた圧縮音楽データをハードディスクドライブ２２から読み出して、これをオーディオ機器７へ送信する。
【００５４】
オーディオ機器７のメインコントローラ３１は、携帯再生装置３から圧縮音楽データを受信するとステップＳＰ１５へ進み、この圧縮音楽データをハードディスクドライブ３３に一旦記憶する。続いてオーディオ機器７のメインコントローラ３１は、このオーディオ機器７に搭載されているデコーダ部３４及び音楽データ処理部３５で当該圧縮音楽データを処理し、これにより携帯再生装置３のデコーダ部２５及び音楽データ処理部２６で処理するよりも品質の良い音楽信号を得て、これに基づく音楽をスピーカ４７から放音する。
【００５５】
このようにしてこの音楽再生システム１では、携帯再生装置３に記憶保持されている圧縮音楽データが、携帯再生装置３のデコーダ部２５及び音楽データ処理部２６よりも高い処理精度を有するオーディオ機器７のデコーダ部３４及び音楽データ処理部３５で処理されるので、携帯再生装置３のデコーダ部２５及び音楽データ処理部２６で処理するよりも品質の良い音楽信号を得ることができ、かくして良好な音質の音楽をユーザに提供することができる。
【００５６】
次いでオーディオ機器７のメインコントローラ３１はステップＳＰ１６へ進み、ステップＳＰ１５で再生した圧縮音楽データに付加されているユーザ識別データと、ハードディスクドライブ３３に予め記憶されているオーディオ機器所有者情報とに基づいて、当該圧縮音楽データを購入・ダウンロードしたユーザと、このオーディオ機器７を所有するユーザとが同一であるか否かを判断する。
【００５７】
ここで肯定結果が得られると、このことは、当該圧縮音楽データを購入・ダウンロードしたユーザと、このオーディオ機器７を所有するユーザとが同一であることを意味しており、このときオーディオ機器７のメインコントローラ３１は、当該圧縮音楽データをこのオーディオ機器７に記憶保持させ続けるようにしても著作権関連の問題が生じないと判断し、ステップＳＰ１７へ進んで、ハードディスクドライブ３３に一旦記憶させている当該圧縮音楽データをこのまま記憶保持し続ける。
【００５８】
これに対して否定結果が得られると、このことは、当該圧縮音楽データを購入・ダウンロードしたユーザと、このオーディオ機器７を所有するユーザとが同一でないことを意味しており、このときオーディオ機器７のメインコントローラ３１は、当該圧縮音楽データをこのオーディオ機器７に記憶保持させ続けるようにすると著作権関連の問題が生じる可能性があると判断し、ステップＳＰ１８へ進んで、ハードディスクドライブ３３に一旦記憶させている当該圧縮音楽データを消去する。
【００５９】
（６）動作及び効果
以上の構成において携帯再生装置３は、ステーション５に挿入されることによりオーディオ機器７とデータ通信が可能な状態で、ユーザにより操作部２３を介して再生操作が行われると、当該再生操作に応じた圧縮音楽データをハードディスクドライブ２２から読み出し、これをオーディオ機器７へ送信する。
【００６０】
オーディオ機器７は、携帯再生装置３から圧縮音楽データを受信すると、このオーディオ機器７に搭載されているデコーダ部３４及び音楽データ処理部３５によって当該圧縮音楽データを処理することにより、携帯再生装置３のデコーダ部２５及び音楽データ処理部２６で処理するよりも品質の良い音楽信号を再生する。
【００６１】
この結果このオーディオ機器７は、当該音楽信号に基づいて音質の良好な音楽をスピーカ３６から放音することができる。
【００６２】
そしてかかる圧縮音楽データの再生が終了するとオーディオ機器７は、圧縮音楽データを購入・ダウンロードしたユーザと、このオーディオ機器７を所有するユーザとが同一であるか否かを判断する。
【００６３】
ここで、圧縮音楽データを購入・ダウンロードしたユーザと、このオーディオ機器７を所有するユーザとが同一であると判断できたとき、オーディオ機器７は、ハードディスクドライブ３３に記憶させている当該圧縮音楽データをそのまま記憶保持し続ける。
【００６４】
これによりオーディオ機器７は、この後、当該圧縮音楽データが記憶されている携帯再生装置３がステーション５に挿入されていなくても、ハードディスクドライブ３３に記憶されている当該圧縮音楽データに基づいて音質の良い音楽を放音することができる。
【００６５】
一方、圧縮音楽データを購入・ダウンロードしたユーザと、このオーディオ機器７を所有するユーザとが同一でないと判断できたとき、オーディオ機器７は、ハードディスクドライブ３３に一旦記憶させていた当該圧縮音楽データを消去する。
【００６６】
このようにすることにより、当該圧縮音楽データを購入・ダウンロードしたユーザ以外の他人が所有するオーディオ機器７に、当該圧縮音楽データが記憶保持され続けてしまうことを回避することができる。
【００６７】
以上の構成によれば、オーディオ機器７は、携帯再生装置３から圧縮音楽データと共に送信されるユーザ認識データに基づいて、当該圧縮音楽データを購入・ダウンロードしたユーザと当該オーディオ機器７を所有するユーザとが同一であることを認識した場合、デコーダ部３４及び音楽データ処理部３５によって当該圧縮音楽データから音楽信号を再生した後、当該圧縮音楽データを記憶保持する一方、当該圧縮音楽データを購入・ダウンロードしたユーザと当該オーディオ機器７を所有するユーザとが同一でないことを認識した場合、デコーダ部３４及び音楽データ処理部３５によって当該圧縮音楽データから音楽信号を再生した後、当該圧縮音楽データを消去するようにしたことにより、携帯再生装置３に記憶されている圧縮音楽データを、当該圧縮音楽データを正当に購入・ダウンロードしたユーザのオーディオ機器７のみに選択的に記憶保持させるようにすることができるので、著作権関連の問題が生じてしまうことを回避することができる。
【００６８】
一方、当該圧縮音楽データを正当に購入・ダウンロードしたユーザは、携帯再生装置３をステーション５に再度挿入しなくても、当該ユーザ所有のオーディオ機器７を介して当該圧縮音楽データに基づく音楽をいつでも音質良く聴くことができるので、この結果、当該ユーザの利便性を格段と向上させることができる。
【００６９】
（７）他の実施の形態
なお上述の実施の形態においては、第１の再生装置（携帯再生装置３）及び第２の再生装置（オーディオ機器７）によって、コンテンツデータとしての音楽データから音楽信号を再生する場合について述べたが、本発明はこれに限らず、映像コンテンツ等のこの他種々のコンテンツデータを再生する場合に本発明を適用するようにしても良い。
【００７０】
また上述の実施の形態においては、第１の再生装置の再生手段として、携帯再生装置３のデコーダ部２５及び音楽データ処理部２６を適用する場合について述べたが、本発明はこれに限らず、この他種々の構成を適用するようにしても良い。
【００７１】
さらに上述の実施の形態においては、コンテンツデータから高品質の信号を再生する高品質再生手段として、オーディオ機器７に搭載されているデコーダ部３４及び音楽データ処理部３５を適用する場合について述べたが、本発明はこれに限らず、この他種々の構成を適用するようにしても良い。
【００７２】
さらに上述の実施の形態においては、再生するコンテンツデータ（圧縮音楽データ）と、再生装置が当該コンテンツデータを記憶保持し得るか否かを表す可否データ（ユーザ識別データ）とを対応付けて記憶する記憶手段として、携帯再生装置３のハードディスクドライブ２２を適用する場合について述べたが、本発明はこれに限らず、不揮発性の半導体メモリ等を適用するようにしても良い。
【００７３】
さらに上述の実施の形態においては、記憶手段に記憶しているコンテンツデータ及び当該コンテンツデータに対応する可否データを第２の再生装置へ送信する送信手段として、携帯再生装置３のステーション接続部２７を適用する場合について述べたが、本発明はこれに限らず、再生装置（オーディオ機器７）と無線通信をする無線通信部等、この他種々の構成を適用することができる。
【００７４】
さらに上述の実施の形態においては、第１の再生装置からコンテンツデータ及び可否データを受信すると、当該可否データに基づいて当該コンテンツデータを記憶保持し得るか否かを認識する認識手段や制御手段として、オーディオ機器７のメインコントローラ３１を適用する場合について述べたが、本発明はこれに限らず、ＣＰＵ（Central Processing Unit）等を適用するようにしても良い。
【産業上の利用可能性】
【００７５】
本発明は、ＭＰ３プレーヤ等の携帯再生装置と、屋内に据え置かれて設置されるオーディオ機器とからなる音楽再生システム等の再生システムに利用することができる。
【図面の簡単な説明】
【００７６】
【図１】本実施の形態における音楽再生システムの構成を示す略線図である。
【図２】パーソナルコンピュータの構成を示す略線図である。
【図３】ダウンロード処理を示すシーケンスチャートである。
【図４】携帯再生装置の構成を示す回路ブロック図である。
【図５】オーディオ機器の構成を示す回路ブロック図である。
【図６】音楽再生処理手順を示すシーケンスチャートである。
【符号の説明】
【００７７】
１……音楽再生システム、３……携帯再生装置、５……ステーション、７……オーディオ機器、２１、３１……メインコントローラ、２２、３３……ハードディスクドライブ、２５、３４……デコーダ部、２６、３５……音楽データ処理部、２７……ステーション接続部、３０……接続部。
【図１】
2005190523.tif 000003
【図２】
2005190523.tif 000004
【図３】
2005190523.tif 000005
【図４】
2005190523.tif 000006
【図５】
2005190523.tif 000007
【図６】
2005190523.tif 000008